(57)【要約】【課題】本発明は、安価に外観を変更でき、機種の差別化を図ることができる遊技機を提供することを目的とする。【解決手段】遊技機１００は、開閉自在に設けられた一体扉ユニット１０６と、上部固定部品４４及び側部固定部品４５で一体扉ユニット１０６に着脱可能な第一装飾部材４と、着脱部品５０及び固定部品５４で第一装飾部材４に着脱可能な第二装飾部材５とを備えている。【選択図】図１
2019150386.tif 000002
【特許請求の範囲】
【請求項１】
開閉自在に設けられた枠部材と、
自己の構成要素で前記枠部材に着脱可能な第一装飾部材と、
自己の構成要素で前記第一装飾部材に着脱可能な第二装飾部材と
を備える遊技機。
【発明の詳細な説明】
【技術分野】
【０００１】
本発明は、弾球遊技機（パチンコ機）に代表される遊技機に関する。
【背景技術】
【０００２】
特許文献１には、ガラス枠に着脱自在に取り付けられて交換可能な前枠部材を設けてイメージチェンジを行うことができる遊技機が開示されている。
【先行技術文献】
【特許文献】
【０００３】
【特許文献１】特開２０１７−１１４６５６号公報
【発明の概要】
【発明が解決しようとする課題】
【０００４】
前枠部材を交換し、遊技機のイメージチェンジ、前枠部材を交換する前の遊技機との機種の差別化、あるいは他の遊技機との差別化などを行う場合、前枠部材の設計及び製造コストがかかり、遊技機が高コスト化してしまうという問題が生じる。
【０００５】
本発明の目的は、安価に外観を変更でき、機種の差別化を図ることができる遊技機を提供することにある。
【課題を解決するための手段】
【０００６】
上記目的を達成するために、本発明の一態様による遊技機は、開閉自在に設けられた枠部材と、自己の構成要素で前記枠部材に着脱可能な第一装飾部材と、自己の構成要素で前記第一装飾部材に着脱可能な第二装飾部材とを備えることを特徴とする。
【発明の効果】
【０００７】
本発明の一態様によれば、安価に外観を変更でき、機種の差別化を図ることができる。
【図面の簡単な説明】
【０００８】
【図１】扉が閉じられた状態を示す遊技機１００の斜視図である。
【図２】扉が閉じられた状態の遊技機１００であって、図２（ａ）は遊技機１００の正面図であり、図２（ｂ）は遊技機１００を正面斜め下方から見た図である。
【図３】第一装飾部材４及び第二装飾部材５の分解斜視図である。
【図４】第二装飾部材５に設けられた固定部品５４の分解斜視図である。
【図５】第一装飾部材４の着脱方法を説明する図であって、第一装飾部材４及び一体扉ユニット１０６の背面斜視図である。
【図６】第一装飾部材４の着脱方法を説明する図であって、図６（ａ）は第一装飾部材４を一体扉ユニット１０６に設置した状態の背面斜視図であり、図６（ｂ）は第一装飾部材４を一体扉ユニット１０６に固定した状態の背面斜視図である。。
【図７】第二装飾部材５の着脱方法を説明する図であって、図７（ａ）は取り付け前の状態の第一装飾部材４及び第二装飾部材５の斜視図であり、図７（ｂ）は取り付け中の状態の第一装飾部材４及び第二装飾部材５の斜視図であり、図７（ｂ）は取り付けが完了した状態の第一装飾部材４及び第二装飾部材５の斜視図である。
【図８】第二装飾部材５を第一装飾部材４に取り付ける前の状態を示す図であって、図８（ａ）は第一装飾部材４及び第二装飾部材５の左側面図であり、図８（ｂ）は図８（ａ）中に示すＡ−Ａ線で切断した第一装飾部材４及び第二装飾部材５の断面図であり、図８（ｃ）は図８（ａ）中に示すＢ−Ｂ線で切断した第一装飾部材４及び第二装飾部材５の断面図である。
【図９】第二装飾部材５を第一装飾部材４に取り付けている途中の状態を示す図であって、図９（ａ）は第一装飾部材４及び第二装飾部材５の左側面図であり、図９（ｂ）は図９（ａ）中に示すＡ−Ａ線で切断した第一装飾部材４及び第二装飾部材５の断面図であり、図９（ｃ）は図９（ａ）中に示すＢ−Ｂ線で切断した第一装飾部材４及び第二装飾部材５の断面図である。
【図１０】第一装飾部材４への第二装飾部材５の取り付けが完了した状態を示す図であって、図１０（ａ）は第一装飾部材４及び第二装飾部材５の左側面図であり、図１０（ｂ）は図１０（ａ）中に示すＡ−Ａ線で切断した第一装飾部材４及び第二装飾部材５の断面図であり、図１０（ｃ）は図１０（ａ）中に示すＢ−Ｂ線で切断した第一装飾部材４及び第二装飾部材５の断面図である。
【発明を実施するための形態】
【０００９】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。本発明に直接関係のない要素は図示を省略する。また、以下、本実施形態による遊技機１００の説明において、遊技機１００に相対するようにして着席した遊技者から見て左側を左とし、遊技者から見て右側を右とし、遊技者から見て上側を上とし、遊技者から見て下側を下とし、遊技者から見て手前側を前とし、遊技者から見て奥側を後とする。また、以下、遊技機１００に備えられる第一装飾部材４及び第二装飾部材５の説明において、第一装飾部材４及び第二装飾部材５を遊技機１００に取り付けた状態で、遊技機１００に相対するようにして着席した遊技者から見て左側を左とし、遊技者から見て右側を右とし、遊技者から見て上側を上とし、遊技者から見て下側を下とし、遊技者から見て手前側を前とし、遊技者から見て奥側を後とする。さらに、遊技機１００に相対するようにして着席した遊技者から見て、遊技機１００の手前側を正面側と称し、奥側を背面側と称する場合がある。
【００１０】
遊技機１００は、遊技を実行する遊技機であって、遊技媒体としての遊技球を用いて遊技を行う装置である。遊技者は、遊技場運営者から遊技球を借り受けて遊技機１００にて遊技を行う。
【００１１】
〔遊技機の全体構成〕
遊技機１００は、外枠ユニット１０２、一体扉ユニット（枠部材の一例）１０６及び内枠アセンブリ１０４（プラ枠、遊技機枠、中枠）を備えている。一体扉ユニット１０６は、遊技機１００の最も前面側に配置されている。一体扉ユニット１０６の背面側（奥側）には内枠アセンブリ１０４が配置されている。内枠アセンブリ１０４の外側を囲むようにして外枠ユニット１０２が配置されている。
【００１２】
外枠ユニット１０２は、木材及び金属材を縦長の矩形状に組み合わせた構造体であり、外枠ユニット１０２は、遊技場内の島設備（不図示）に対してねじ等の締結具を用いて固定される。
【００１３】
一体扉ユニット１０６には、下部位置に受皿ユニット１０７が配置されている。一体扉ユニット１０６及び内枠アセンブリ１０４は、外枠ユニット１０２を介して島設備に取り付けられている。一体扉ユニット１０６及び内枠アセンブリ１０４は、外枠ユニット１０２に回転自在に設けられている。一体扉ユニット１０６及び内枠アセンブリ１０４は、それぞれ図示しないヒンジ機構を介して開閉式に動作する。図示しないヒンジ機構の開閉軸線は、遊技機１００の左側端部に沿って垂直方向に延びている。
【００１４】
遊技機１００を正面からみて、内枠アセンブリ１０４の右側縁部の内側には、不図示の統一錠ユニットが設けられている。また、この統一錠ユニットに対応して、一体扉ユニット１０６及び外枠ユニット１０２の右側縁部（裏側）にも、それぞれ図示しない施錠具が設けられている。図１に示すように、外枠ユニット１０２に対して一体扉ユニット１０６及び内枠アセンブリ１０４が閉じた状態で、一体扉ユニット１０６及び内枠アセンブリ１０４の裏側にある統一錠ユニットは、施錠具とともに一体扉ユニット１０６及び内枠アセンブリ１０４の開放を不能にしている。
【００１５】
また、内枠アセンブリ１０４の右側縁部には鍵穴付きのシリンダ錠１０７ａが設けられている。例えば、遊技場の管理者が専用キーを鍵穴に差し込んでシリンダ錠１０７ａを時計回りに捻ると、統一錠ユニットが作動して内枠アセンブリ１０４とともに一体扉ユニット１０６の開放が可能な状態となる。これら全体を外枠ユニット１０２から前面側へ開放する（扉のように動かす）と、前面側にて遊技機１００の裏側が露出することになる。
【００１６】
一方、シリンダ錠１０７ａを反時計回りに捻ると、内枠アセンブリ１０４は施錠されたままで（内枠アセンブリ１０４が外枠ユニット１０２に固定されたままで）、一体扉ユニット１０６の施錠だけが解除され、一体扉ユニット１０６が開放可能となる。一体扉ユニット１０６を前面側へ開放すると図示しない遊技盤ユニットが露出し、この状態で遊技場の管理者が盤面内での球詰まり等の障害を取り除くことができる。なお、一体扉ユニット１０６を開放すると、受皿ユニット１０７も一緒に前面側へ移動する。
【００１７】
また、遊技機１００は、不図示の遊技盤ユニット（遊技盤、遊技用ユニット）を備えており、遊技盤ユニットは、一体扉ユニット１０６の背後（内側）で内枠アセンブリ１０４に支持されている。遊技盤ユニットは、一体扉ユニット１０６を前面側へ開放した状態で内枠アセンブリ１０４に対して着脱可能である。一体扉ユニット１０６には、その中央部に縦長形状の窓１１０が形成されており、窓１１０内にガラスユニット１１０ａが取り付けられている。ガラスユニット１１０ａは、窓１１０の形状をカバーできる大きさにカットされた２枚の透明板（ガラス板）を組み合わせて形成されている。ガラスユニット１１０ａは、一体扉ユニット１０６の裏側に図示しない取り付け具を介して取り付けられる。また、遊技盤ユニットの前面には遊技領域が形成されており、この遊技領域は窓１１０を通じて前面側から遊技者に視認可能である。一体扉ユニット１０６が閉じられると、ガラスユニット１１０ａの内面と盤面との間に遊技球が流下できる空間が形成される。この空間が遊技領域となる。
【００１８】
遊技盤ユニットには、遊技に必要な要素が配置されており、例えば、普通図柄に対応する始動ゲートや特別図柄に対応する始動入賞口、一般入賞口（他穴入賞口）、電動役物、図柄表示装置、統合表示基板、演出表示装置等が配置されている。流下した遊技球が始動ゲートや始動入賞口に入球することにより、普通図柄抽選や特別図柄抽選が実行され、抽選結果に応じて特別遊技（大当り遊技、小当り遊技、普通図柄当り遊技）等が実行される。そして、特別遊技によって遊技者は多くの出球を獲得することができる。このような遊技の進行に関する内容は図示しない主制御装置が制御し、演出に関する内容は図示しない演出制御装置が主制御装置からのコマンドに基づいて制御する。
【００１９】
受皿ユニット１０７は、一体扉ユニット１０６から前面側へ突出して配置されている。受皿ユニット１０７の上面には、上皿１０７ｂ（球皿）が形成されている。上皿１０７ｂには、遊技者に貸し出された遊技球（貸球）や入賞により獲得した遊技球（賞球）を貯留することができる。また、受皿ユニット１０７の下段左側には、下皿１０７ｃが形成されている。下皿１０７ｃには、上皿１０７ｂが満杯の状態でさらに払い出された遊技球が貯留される。なお、本実施形態による遊技機１００はいわゆるＣＲ機（ＣＲユニットに接続する機種）であり、遊技者が借り受けた遊技球は、賞球とは別に裏側の図示しない払出装置ユニットから受皿ユニット１０７（上皿１０７ｂ又は下皿１０７ｃ）に払い出される。
【００２０】
受皿ユニット１０７の上面には貸出操作部１０８が設けられており、貸出操作部１０８には、球貸ボタン１０８ａ及び返却ボタン１０８ｂが配置されている。図示しないＣＲユニットに有価媒体（例えば磁気記録媒体、記憶ＩＣ内蔵媒体等）を投入した状態で球貸ボタン１０８ａを遊技者が操作すると、予め決められた度数単位（例えば５度数）に対応する個数（例えば１２５個）分の遊技球が貸し出される。また、貸出操作部１０８の上面には図示しない度数表示部が配置されており、この度数表示部には、ＣＲユニットに投入されている有価媒体の残存度数が表示される。なお、遊技者は、返却ボタン１０８ｂを操作することで、度数が残存している有価媒体の返却を受けることができる。本実施形態ではＣＲ機を例に挙げているが、遊技機１００はＣＲ機とは別の現金機（ＣＲユニットに接続されない機種）であってもよい。
【００２１】
また、受皿ユニット１０７の上段右側には、上皿球抜きボタン１０７ｄが設置されており、下皿１０７ｃの下部には、下皿球抜きボタン１０７ｅが設置されている。上皿球抜きボタン１０７ｄを押し込み操作すると、上皿１０７ｂに貯留された遊技球は下皿１０７ｃに導かれる。また、下皿球抜きボタン１０７ｅを押し込み操作すると、下皿１０７ｃに貯留された遊技球は下方に落下する。落下した遊技球は、図示しない球受け箱や遊技球計数装置等に受け止められる。
【００２２】
受皿ユニット１０７の右下には、ハンドルユニット１１２が設置されている。遊技者がハンドルユニット１１２を操作すると、図示しない発射制御基板セットが作動し、遊技領域に向けて遊技球を発射することができる（発射装置）。発射された遊技球は、遊技盤ユニットの下縁部から左側縁部に沿って上昇し、図示しない外バンドに案内されて遊技領域内に放り込まれる。遊技領域内には多数の障害釘や風車（いずれも図示されていない）等が配置されており、放り込まれた遊技球は障害釘や風車により誘導・案内されながら遊技領域内を流下する。
【００２３】
一体扉ユニット１０６には、ハンドルユニット１１２の左上、窓１１０の左右上方及び左右下方に配置された音声出力装置２０６が組み込まれている。窓１１０の右上方に配置された音声出力装置の図示は省略されている。また、内枠アセンブリ１０４の下部にも音声出力装置２０６が組み込まれている。これらの音声出力装置２０６は、効果音やＢＧＭ、音声等（音響全般）を出力して音演出を実行する。音声出力装置２０６は、例えばスピーカで構成されている。
【００２４】
また、受皿ユニット１０７の上皿１０７ｂの右側には、機能ボタン２０１（入力装置）が設定されている。機能ボタン２０１は、上ボタン、下ボタン、左ボタン、右ボタン、音量調節ボタン、光量調節ボタンを有する。
【００２５】
さらに、受皿ユニット１０７の上皿１０７ｂの中央には、上皿１０７ｂから上方に突出するようにして演出操作装置２０８（入力装置）が設置されている。演出操作装置２０８は、遊技者の押下操作を受け付ける押下ボタン２０８ａと、遊技者の引き倒しによる入力操作を受け付ける演出レバー２０８ｂと、演出レバー２０８ｂの入力操作に伴って回転する回転部２０８ｃとを有している。演出操作装置２０８は、遊技機１００の幅方向略中央位置であって、かつ、窓１１０よりも下方位置に設けられている。演出操作装置２０８は、例えば演出表示装置の表示部に表示される画像等に合わせて有効化されるものであり、操作有効時間内に遊技者の操作を受け付けると、当該操作に応じて、さまざまな演出が実行される。
【００２６】
遊技者が演出操作装置２０８や機能ボタン２０１を操作することにより、入力信号が演出制御装置に入力される。これにより、演出制御装置は、演出内容（例えば演出表示装置の表示部に表示される演出の内容）を切り替えたり、音量や光量を切り替えたり、遊技者によるカスタマイズの内容を変更したり、図柄の変動中や大当り遊技中に何らかの演出（予告演出、確変昇格演出等）を発生させたりする。
【００２７】
遊技機１００は、自己の構成要素で一体扉ユニット１０６に着脱可能な第一装飾部材４と、自己の構成要素で第一装飾部材４に着脱可能な第二装飾部材５とを備えている。第一装飾部材４は、一体扉ユニット１０６の右上隅に取り付けられる。図２（ａ）に示すように、遊技機１００を正面から見た場合、第一装飾部材４は、窓１１０の内側領域の一部にはみ出した状態で配置される。しかしながら、図２（ｂ）に示すように、第一装飾部材４の下部に配置される下部部品４２は、窓１１０の形状に沿い、かつ遊技機１００の正面側から背面側に向かって逆テーパー状を有している。遊技者は、遊技を行う場合に下方から窓１１０の上部周辺を見ることになる。このため、遊技機１００の正面から見た場合に第一装飾部材４が窓１１０の上部の一部にはみ出していたとしても、第一装飾部材４によって遊技領域の視認性が低下することが防止される。下部部品４２の詳細については後述する。
【００２８】
〔第一装飾部材及び第二装飾部材の構成〕
次に、第一装飾部材４及び第二装飾部材５の概略構成について図１及び図２を参照しつつ図３及び図４を用いて説明する。
図３に示すように、第一装飾部材４は、本体部品４１と、本体部品４１の下部に固定して設けられた下部部品４２と、第二装飾部材５が固定される固定部品５４（詳細は後述）を内包する正面部品４３とを有している。また、第一装飾部材４は、本体部品４１に対して移動可能に設けられた上部固定部品４４と、本体部品４１に対して移動可能設けられた側部固定部品４５とを有している。本体部品４１、下部部品４２、上部固定部品４４及び側部固定部品４５は、第一装飾部材４を構成する構成要素である。したがって、第一装飾部材４において、本体部品４１、下部部品４２、上部固定部品４４及び側部固定部品４５は、自己の構成要素に相当する。詳細は後述するが、上部固定部品４４及び側部固定部品４５の少なくとも一方が第一装飾部材４を一体扉ユニット１０６に着脱可能とするための主要な構成要素となる。
【００２９】
本体部品４１は、第一装飾部材４の本体となる部材である。本体部品４１の上部及び右側部は、一体扉ユニット１０６の右上隅の形状に倣う形状に形成されている。本体部品４１は、本体部品４１の下部に凹状に湾曲して形成されて下部部品４２が取り付けられた湾曲部４１１を有している。本体部品４１は、本体部品４１の正面側に形成されて正面部品４３が固定される正面部４１２を有している。正面部４１２には、第二装飾部材５を第一装飾部材４から取り外す際に利用される開口部４１２ａ（詳細は後述）が形成されている。本体部品４１は、本体部品４１の上部に形成され上部固定部品４４が設けられる上部切欠き部４１３を有している。本体部品４１は、本体部品４１の右側面に形成され側部固定部品４５が設けられる側部切欠き部４１４を有している。上部切欠き部４１３及び側部切欠き部４１４は、裏面側から正面側に向かう矩形状を有している。
【００３０】
下部部品４２は、一体扉ユニット１０６の窓１１０（図１参照）側に露出される外側部４２１と、本体部品４１側に露出される内側部４２２とを有している。外側部４２１は、窓１１０の形状に沿って湾曲している。さらに、外側部４２１は、遊技機１００の正面側から背面側に向かって逆テーパー状に形成されている。これにより、上述のとおり、第一装飾部材４は、遊技機１００を正面側から見た場合にはガラスユニット１１０ａの右上方の一部に被さって遊技領域の一部を隠すようになる（図２（ａ）参照）が、遊技機１００を斜め下方から見た場合には外側部４２１によって右上方の遊技領域の視野が確保される（図２（ｂ）参照）。その結果、第一装飾部材４は、遊技の進行を妨げずに、遊技者や遊技店に来店した客にインパクトを与える大きさが確保されている。
【００３１】
外側部４２１は、本体部品４１の上方に向かって延在する円筒部４２１ａを有している。内側部４２２は、円筒部４２１ａが挿入される開口部４２２ａを有している。本実施形態では、第一装飾部材４が取り付けられる位置において一体扉ユニット１０６には音声出力装置（不図示）が設けられている。第一装飾部材４を一体扉ユニット１０６に取り付けた場合、円筒部４２１ａの内側に音声出力装置の音声出力部が配置される。これにより、第一装飾部材４は、当該音声出力装置から出力される音声が遊技者に聞こえにくくなることを防止できる。
【００３２】
正面部品４３は、本体部品４１に固定されるベース部４３１と、ベース部４３１に取り付けられるカバー部４３２とを有している。ベース部４３１の背面側は、本体部品４１の正面部４１２の外形に倣う形状に形成されており、正面部品４３が本体部品４１に固定されると、正面部４１２はベース部４３１によって覆われる（図１及び図２参照）。また、正面部品４３は、前側に突出して形成されて内部に固定部品５４を配置可能な空間を備える空間形成部４３１ａを有している。空間形成部４３１ａの上部は開口されている。カバー部４３２は、この開口を塞いだ状態で空間形成部４３１ａ上に配置される。カバー部４３２は、前側に形成された開口部４３２ａと、開口部４３２ａの後側に形成された平坦部４３２ｂとを有している。詳細は後述するが、開口部４３２ａには、第二装飾部材５の棒状部５２が挿入され、棒状部５２が空間形成部４３１ａに配置された固定部品５４に固定される。平坦部４３２ｂには、装飾部品４６が取り付けられるようになっている。装飾部品４６は、第一装飾部材４を構成する構成要素ではあるが、第一装飾部材４を一体扉ユニット１０６に着脱するために用いられる構成要素ではない。本実施形態では、装飾部品４６は所定のキャラクタを模した部品であり、第二装飾部材５は幟を模した部材である。このため、第二装飾部材５を第一装飾部材４に取り付けると、第一装飾部材４及び第二装飾部材５によってキャラクタが幟を掲げている意匠が表される。
【００３３】
上部固定部品４４は、第一装飾部材４を一体扉ユニット１０６に取り付けた場合、第一装飾部材４の上部に配置される。上部固定部品４４は、本体部品４１の上部切欠き部４１３に固定される上部ベース部４４１と、上部ベース部４４１に移動可能に設けられた上部スライド部４４２と、上部スライド部４４２を上部ベース部４４１に移動可能に支持する上部支持部４４３とを有している。
【００３４】
上部ベース部４４１は、薄板形状の上部スライド部４４２が正面側から後側又はその逆方向に移動可能に配置される配置部４４１ａを有している。上部支持部４４３は、上部ベース部４４１の配置部４４１ａに嵌め合わすことが可能な形状に形成されている。配置部４４１ａに上部スライド部４４２を配置した状態で上部支持部４４３が配置部４４１ａに嵌め合わされることにより、上部スライド部４４２は、配置部４４１ａにおいて上部ベース部４４１及び上部支持部４４３に挟まれて支持される。
【００３５】
上部スライド部４４２は、移動方向に延在する長孔部４４２ｂを有している。長孔部４４２ｂは、上部スライド部４４２の移動方向に延在する両側部のそれぞれに沿って２つ設けられている。２つの長孔部４４２ｂは、上部スライド部４４２が上部ベース部４４１及び上部支持部４４３との間から引き出される引出し量を規制する規制部としての機能を発揮する。上部ベース部４４１に対向する上部支持部４４３の対向面には、上部スライド部４４２の２つの長孔部４４２ｂのそれぞれに挿入可能な突起部（不図示）が設けられている。配置部４４１ａに上部スライド部４４２を配置した状態で上部支持部４４３が配置部４４１ａに嵌め合わされると、この突起部が長孔部４４２ｂに挿入される。上部スライド部４４２が上部ベース部４４１及び上部支持部４４３との間から引き出されて、長孔部４４２ｂの前側端部にこの突起部が接触することにより、上部スライド部４４２がそれ以上引き出されないようになる。
【００３６】
上部スライド部４４２は、２つの長孔部に一部が挟まれた状態で中央部に形成された開口部４４２ａを有している。開口部４４２ａは、上部ベース部４４１と上部支持部４４３との間に上部スライド部４４２をロックするために用いられる。また、上部スライド部４４２は、先端が折り返された折返部４４２ｃを有している。折返部４４２ｃは、第一装飾部材４を一体扉ユニット１０６に引っ掛けるために用いられる。
【００３７】
上部支持部４４３には、コの字状の切欠き部４４３ｂと、切欠き部４４３ｂによって３辺が囲まれたフック部４４３ａとが形成されている。上部スライド部４４２が上部ベース部４４１及び上部支持部４４３の間で最も押し込まれた場合に、フック部４４３ａは、上部スライド部４４２の開口部４４２ａと対面する位置に形成されている。上部支持部４４３が上部ベース部４４１に対向する対向面のうちのフック部４４３ａが設けられた領域の一部には、上部ベース部４４１に向かって突出する突起部（不図示）が設けられている。このため、上部スライド部４４２が上部ベース部４４１及び上部支持部４４３の間で最も押し込まれると、フック部４４３ａに設けられた突起部が上部スライド部４４２の開口部４４２ａに嵌め込まれる。これにより、上部スライド部４４２は、上部ベース部４４１と上部支持部４４３との間でロック状態となる。上部支持部４４３は、樹脂で形成されているため、切欠き部４４３ｂに指先を挿入させ、フック部４４３ａを上方に僅かに持ち上げることにより、フック部４４３ａの突起部が上部スライド部４４２の開口部４４２ａに嵌め込まれた状態が解除される。これにより、上部スライド部４４２は、上部ベース部４４１と上部支持部４４３との間でのロック状態が解除される。
【００３８】
側部固定部品４５は、第一装飾部材４を一体扉ユニット１０６に取り付けた場合、第一装飾部材４の右側部に配置される。側部固定部品４５は、本体部品４１の側部切欠き部４１４に固定される側部ベース部４５１と、側部ベース部４５１に移動可能に設けられた側部スライド部４５２と、側部スライド部４５２を側部ベース部４５１に移動可能に支持する側部支持部４５３とを有している。
【００３９】
側部ベース部４５１は、ほぼ中央を貫通して形成された貫通孔４５１ａを有している。詳細は後述するが、貫通孔４５１ａは、側部ベース部４５１と側部支持部４５３との間での側部スライド部４５２のロック状態を解除するために用いられる。
【００４０】
側部ベース部４５１は、薄板形状の側部スライド部４５２が正面側から後側又はその逆方向に移動可能に配置される配置部（不図示）を有している。側部支持部４５３は、側部ベース部４５１の配置部に嵌め合わすことが可能な形状に形成されている。この配置部に側部スライド部４５２を配置した状態で側部支持部４５３がこの配置部に嵌め合わされることにより、側部スライド部４５２は、この配置部において側部ベース部４５１及び側部支持部４５３に挟まれて支持される。
【００４１】
側部スライド部４５２は、中央部に形成された開口部４５２ａを有している。開口部４５２ａは、側部ベース部４５１と側部支持部４５３との間に側部スライド部４５２をロックするために用いられる。また、側部スライド部４５２は、先端が折り返された折返部４５２ｂを有している。折返部４５２ｂは、第一装飾部材４を一体扉ユニット１０６に引っ掛けるために用いられる。
【００４２】
側部支持部４５３は、中央に形成された突出部４５３ａを有している。突出部４５３ａは、側部ベース部４５１と対向する面に側部ベース部４５１に向かって突出して形成されている。突出部４５３ａは、側部スライド部４５２が側部ベース部４５１及び側部支持部４５３の間で最も押し込まれた場合に、側部スライド部４５２の開口部４５２ａと対面する位置に形成されている。突出部４５３ａは、開口部４５２ａよりも一回り小さく形成されている。このため、側部スライド部４５２が側部ベース部４５１及び側部支持部４５３の間で最も押し込まれると、突出部４５３ａは、側部スライド部４５２の開口部４５２ａに嵌め込まれる。これにより、側部スライド部４５２は、側部ベース部４５１と側部支持部４５３との間でロック状態となる。側部支持部４５３は、樹脂で形成されているため、側部ベース部４５１の貫通孔４５１ａに所定の剛性を有する棒状部材（不図示）を貫通孔４５１ａに挿入させ、この棒状部材で突出部４５３ａを押し込むことにより、突出部４５３ａが側部スライド部４５２の開口部４５２ａに嵌め込まれた状態が解除される。これにより、側部スライド部４５２は、側部ベース部４５１と側部支持部４５３との間でのロック状態が解除される。この棒状部材は、側部スライド部４５２をスライドさせるための専用の部材ではない。例えばゼムクリップの端部や裁縫用の針あるいは爪楊枝や竹串などが棒状部材として利用できる。
【００４３】
次に、第二装飾部材５について説明する。
図３に示すように、第二装飾部材５は、着脱部品５０と、正面部品４３の空間形成部４３１ａに配置され着脱部品５０を固定可能な固定部品５４とを有している。着脱部品５０は、幟を模した形状を有している。着脱部品５０及び固定部品５４は、第二装飾部材５を構成する構成要素である。したがって、第二装飾部材５において、着脱部品５０及び固定部品５４は、自己の構成要素に相当する。詳細は後述するが、着脱部品５０及び固定部品５４が第二装飾部材５を第一装飾部材４に着脱可能とするための構成要素となる。
【００４４】
図１に示すように、着脱部品５０は、装飾部５１と、装飾部５１の一端部に設けられ第一装飾部材４に挿入される棒状部５２とを有している。装飾部５１は、長方形状を有する平板部５１１と、平板部５１１の一端辺に設けられた円筒状部５１２とを有している。平板部５１１は、幟旗の布部分を表す部品であり、遊技機１００の機種、演出、あるいはキャラクタなどに関する文字、画像その他の意匠が施されている。円筒状部５１２は、幟の横棒を表す部品である。棒状部５２は、幟のポールを表す部品である。第二装飾部材５は、遊技機１００において最も正面側に飛び出す部材である。このため、第二装飾部材５の平板部５１１に遊技機１００の機種、演出、あるいはキャラクタなどに関する文字、画像その他の意匠を施しておくことにより、他の機種との差別化や集客力の向上を図ることができる。
【００４５】
図３に戻って、着脱部品５０は、円筒状部５１２の内空間に挿入され棒状部５２に対して装飾部５１を所定範囲で動作可能に連結する連結部品５３を有している。連結部品５３は、半円筒形状に形成された上カバー部５３１と、半円筒形状に形成された下カバー部５３２とを有している。上カバー部５３１と下カバー部５３２とを向い合せて重ね合わせると、円筒状部５１２の内空間に挿入可能な大きさの円筒部材となる。連結部品５３は、一端部に取り付けられ円盤状に形成された止め部品５３３を有している。また、連結部品５３は、他端部に取り付けられる山ワッシャ５３４、皿ワッシャ５３５、バネ５３６及びバネ押え５３７を有している。山ワッシャ５３４、皿ワッシャ５３５、バネ５３６及びバネ押え５３７は、連結部品５３の他端部に取り付けられるとともに、棒状部５２の一端の内部に配置される。装飾部５１は、山ワッシャ５３４、皿ワッシャ５３５、バネ５３６及びバネ押え５３７によって例えば上下左右の所定範囲で動作可能に棒状部５２の一端に連結される。
【００４６】
棒状部５２は、半楕円筒状に形成された左カバー部５２１と、半楕円筒状に形成された右カバー部５２２と、左カバー部５２１及び右カバー部５２２との間に挟まれる板金部５２３とを有している。左カバー部５２１及び右カバー部５２２を向い合せて組み合わせると、棒状部５２の形状は楕円筒状になる。左カバー部５２１及び右カバー部５２２は樹脂で形成されている。このため、金属で形成された板金部５２３を左カバー部５２１及び右カバー部５２２の間に挟むことにより、棒状部５は所定の強度を有することができる。これにより、棒状部５２が折れたり曲がったりすることが防止される。
【００４７】
左カバー部５２１には、棒状部５２の他端に相当する位置に貫通孔５２１ａ及び貫通孔５２１ｂが形成されている。棒状部５２は、貫通孔５２１ａ及び貫通孔５２１ｂが形成されている他端側を固定部品５４に挿入するようになっている。詳細は後述するが、棒状部５２が固定部品５４に挿入されると、貫通孔５２１ａには、固定部品５４の抜け防止部５４３ｂ（図４参照）が挿入され、貫通孔５２１ｂには、固定部品５４の爪部５４３ｃ（図４参照）が挿入される。
【００４８】
図３に示すように、固定部品５４は、固定ベース部５４１と、固定ベース部５４１と向かい合わせて取り付けられる固定カバー部５４２と、固定カバー部５４２に回転可能に取り付けられるストッパー部５４３とを有している。ここで、固定部品５４の具体的な構成について図４を用いて説明する。
【００４９】
図４に示すように、固定ベース部５４１は、固定カバー部５４２に対向する側に半楕円筒状の凹部５４１ａを有している。固定カバー部５４２は、固定ベース部５４１に対向する側に半楕円筒状の凹部５４２ａを有している。凹部５４１ａ及び凹部５４２ａを向い合せて固定ベース部５４１及び固定カバー部５４２を重ね合わせると、凹部５４１ａ及び凹部５４２ａによって棒状部５２の他端を挿入可能な空間が形成される。固定カバー部５４２の外表面には、ストッパー部５４３を回転可能に保持するための固定保持部５４２ｂを有している。
【００５０】
ストッパー部５４３は、主部５４３ｄと主部５４３ｄの一端の両側壁からそれぞれ延在する円柱状の軸部５４３ａを有している。ストッパー部５４３は、２つの軸部５４３ａによって固定保持部５４２ｂに軸支され、軸部５４３ａを回転軸として固定カバー部５４２に対して所定範囲で回転できるようになっている。ストッパー部５４３は、主部５４３ｄの側壁に設けられた抜け防止部５４３ｂ及び爪部５４３ｃを有している。抜け防止部５４３ｂは、主部５４３ｄの他端側に形成され、爪部５４３ｃは、主部５４３ｄの一端側であって２つの軸部５４３ａの間に形成されている。抜け防止部５４３ｂは、円柱形状を有している。爪部５４３ｃは、主部５４３ｄの一端から他端に向かうに従って主部５４３ｄからの高さが高くなる傾斜を有する三角形状を有している。
【００５１】
詳細は後述するが、固定カバー部５４２には、凹部５４１ａ及び凹部５４２ａによって形成される空間に抜け防止部５４３ｂ及び爪部５４３ｃを突出させる貫通孔が形成されている。第二装飾部材５の棒状部５２が固定部品５４に挿入される場合以外、抜け防止部５４３ｂ及び爪部５４３ｃは当該空間に突出するようになっている。着脱部品５０は、棒状部５２の他端側の先端で爪部５４３ｃを押しのけながら凹部５４１ａ及び凹部５４２ａによって形成される空間に挿入されるようになっている。また、棒状部５２が凹部５４１ａ及び凹部５４２ａによって形成される空間の奥まで挿入されると、固定カバー部５４２の貫通孔を介して左カバー部５２１に形成された貫通孔５２１ａに抜け防止部５４３ｂが挿入され、貫通孔５２１ｂに爪部５４３ｃに挿入される。これにより、着脱部品５０が固定部品５４に固定される。このように、着脱部品５０において、固定部品５４に挿入される棒状部５２が第二装飾部材５を第一装飾部材４に着脱可能とするための主要な構成要素となる。着脱部品５０を固定部品５４から抜き取る方法については後述する。
【００５２】
〔第一装飾部材の着脱方法〕
次に、本実施形態における第一装飾部材４の着脱方法について図１及び図３を参照しつつ図５及び図６を用いて説明する。まず、第一装飾部材４を一体扉ユニット１０６に取り付ける方法について説明する。
【００５３】
まず、図５中の左側に示すように、第一装飾部材４に第二装飾部材５を取り付ける。なお、第二装飾部材５は、第一装飾部材４を一体扉ユニット１０６に取り付けた後に第一装飾部材４に取り付けられてもよい。
【００５４】
次に、切欠き部４４３ｂに指先を挿入させてフック部４４３ａを上方に僅かに持ち上げた状態のまま、図５中の中央に示すように、上部スライド部４４２がスライドしなくなるまで上部ベース部４４１及び上部支持部４４３の間から引き出す。
【００５５】
次に、側部固定部品４５の側部ベース部４５１に形成された貫通孔４５１ａに所定の剛性を有する棒状部材（不図示）を挿入する。貫通孔４５１ａに挿入した棒状部材で側部支持部４５３に形成された突出部４５３ａ（図３参照）を押し込んだ状態で、図５中の中央に示すように、側部スライド部４５２がスライドしなくなるまで側部ベース部４５１及び側部支持部４５３の間から引き出す。
【００５６】
次に、図５中の右側に示すように、上部スライド部４４２及び側部スライド部４５２が引き出された状態の第一装飾部材４を、開かれた状態の一体扉ユニット１０６の前方右斜め上方から近付けて、一体扉ユニット１０６の右上隅に仮設置する。
【００５７】
次に、図６（ａ）に示すように、本体部品４１の内壁面の上部が一体扉ユニット１０６の右側上部に接触し、本体部品４１の内壁面の右側部が一体扉ユニット１０６の右側側面に接触するように、第一装飾部材４を一体扉ユニット１０６の右上隅に設置する。
【００５８】
次に、図６（ｂ）に示すように、上部スライド部４４２の折返部４４２ｃの隙間に一体扉ユニット１０６の背面側の上周縁部が挟まるまで、上部スライド部４４２を上部ベース部４４１及び上部支持部４４３の間に押し戻す。上部スライド部４４２及び一体扉ユニット１０６の背面側の上周縁部のそれぞれの形状は、折返部４４２ｃの隙間に当該上周縁部が挟まるまで上部スライド部４４２が押し戻されると、上部スライド部４４２が当該上周縁部に引っ掛かるとともに、上部スライド部４４２がロック状態となるように構成されている。
【００５９】
次に、図６（ｂ）に示すように、側部スライド部４５２の折返部４５２ｂの隙間に一体扉ユニット１０６の背面側の右周縁部が挟まるまで、側部スライド部４５２を側部ベース部４５１及び側部支持部４５３の間に押し戻す。側部スライド部４５２及び一体扉ユニット１０６の背面側の右周縁部のそれぞれの形状は、折返部４５２ｂの隙間に当該右周縁部が挟まるまで側部スライド部４５２が押し戻されると、側部スライド部４５２が当該右周縁部に引っ掛かるとともに、側部スライド部４５２がロック状態となるように構成されている。
【００６０】
次に、図１に示すように、一体扉ユニット１０６を閉じた状態とすることにより、一体扉ユニット１０６への第一装飾部材４の取り付け作業が完了し、第一装飾部材４が一体扉ユニット１０６の右上隅に固定される。
【００６１】
第一装飾部材４を一体扉ユニット１０６から取り外す場合には、上述の第一装飾部材４の取り付け作業と逆の手順によって、第一装飾部材４を一体扉ユニット１０６から取り外すことができるため、説明は省略する。なお、第一装飾部材４の取り外し作業において、上部スライド部４４２及び側部スライド部４５２の引き出し方法は、上述の第一装飾部材４の取り付け作業での上部スライド部４４２及び側部スライド部４５２の引き出し方法と同様である。
【００６２】
このように、第一装飾部材４は、ドライバーなどの工具を用いずに、開いた状態の一体扉ユニット１０６に対して着脱することができる。また、第一装飾部材４は、開いた状態の一体扉ユニット１０６に自己の構成要素のみで着脱することができる。つまり、第一装飾部材４は、ネジやナット、接着剤あるいは第一装飾部材４とは別体の磁石などの自己の構成要素以外の部材や部品を用いずに、開いた状態の一体扉ユニット１０６に対して着脱することができる。このように、第一装飾部材４は、一体扉ユニット１０６に着脱するために、自己の構成要素以外の部材や部品を必要としない自己完結型の部材である。
【００６３】
また、第一装飾部材４は、遊技盤とは別体であり、遊技盤の交換の有無によらず交換作業をすることができる。また、第一装飾部材４を取り付けた一体扉ユニット１０６が閉じられた状態になると、上部スライド部４４２の折返部４４２ｃ及び側部スライド部４５２の折返部４５２ｂが一体扉ユニット１０６及び内枠アセンブリ１０４に挟まれる。これにより、遊技者が遊技中に第一装飾部材４を一体扉ユニット１０６から取り外してしまうことを防止できる。このように、第一装飾部材４は、一体扉ユニット１０６が閉じられた状態にあると、一体扉ユニット１０６に対して着脱が不可能になる。
【００６４】
〔第二装飾部材の着脱方法〕
次に、本実施形態における第二装飾部材５の着脱方法について図７から図１０を用いて説明する。図８では、理解を容易にするため、第一装飾部材４及び第二装飾部材５は、図８（ａ）と図８（ｂ）及び図８（ｃ）とで縮尺を異ならせて図示されている。同様に、図９は、第一装飾部材４及び第二装飾部材５は、図９（ａ）と図９（ｂ）及び図９（ｃ）とで縮尺を異ならせて図示され、図１０では、第一装飾部材４及び第二装飾部材５は、図１０（ａ）と図１０（ｂ）及び図１０（ｃ）とで縮尺を異ならせて図示されている。まず、第二装飾部材５を第一装飾部材４に取り付ける方法について説明する。
【００６５】
まず、図７（ａ）及び図８（ａ）に示すように、第二装飾部材５の着脱部品５０を前方に傾けて、棒状部５２の他端を第一装飾部材４のカバー部４３２に形成された開口部４３２ａに近付ける。図８（ｂ）及び図８（ｃ）に示すように、着脱部品５０が固定部品５４に挿入される前では、ストッパー部５４３は、所定の付勢力によって固定カバー部５４２の外側面に密着した状態で配置されている。このため、ストッパー部５４３の抜け防止部５４３ｂ及び爪部５４３ｃは、固定部品５４の固定ベース部５４１の凹部５４１ａ及び固定カバー部５４２の凹部５４２ａで形成される空間に突出して配置される。
【００６６】
また、図８（ｂ）及び図８（ｃ）に示すように、固定部品５４は、カバー部４３２の開口部４３２ａを塞いだ状態でベース部４３１の空間形成部４３１ａに固定されている。さらに、固定部品５４の固定ベース部５４１の凹部５４１ａ及び固定カバー部５４２の凹部５４２ａで形成される空間の入口が開口部４３２ａと連通するように、固定部品５４は空間形成部４３１ａに配置されている。
【００６７】
このため、図７（ｂ）及び図９（ａ）に示すように、第二装飾部材５の着脱部品５０を前方に傾けた状態で、開口部４３２ａに棒状部５２を挿入し、その後に棒状部５２を空間形成部４３１ａ側に押し込むと、着脱部品５０は、固定ベース部５４１の凹部５４１ａ及び固定カバー部５４２の凹部５４２ａで形成される空間に自動的に導かれる。
【００６８】
棒状部５２が所定の長さ分だけ固定ベース部５４１の凹部５４１ａ及び固定カバー部５４２の凹部５４２ａで形成される空間に差し込まれると、図９（ｂ）に示すように、棒状部５２の先端がストッパー部５４３の爪部５４３ｃに接触する。棒状部５２がさらに押し込まれて棒状部５２の先端で爪部５４３ｃが押されると、図９（ｂ）及び図９（ｃ）に示すように、ストッパー部５４３は軸部５４３ａを回転軸として固定カバー部５４２の外側面から離れる方向に回転する。これにより、爪部５４３ｃ及び抜け防止部５４３ｂは、凹部５４１ａ及び固定カバー部５４２の凹部５４２ａで形成される空間から固定部品５４の外部に移動する。
【００６９】
爪部５４３ｃ及び抜け防止部５４３ｂが固定部品５４の外部に移動しているため、図７（ｃ）及び図１０（ｃ）に示すように、固定部品５４の最も奥側まで棒状部５２を差し込むことができる。
【００７０】
棒状部５２が固定部品５４の最も奥側まで差し込まれると、棒状部５２の左カバー部５２１に形成された貫通孔５２１ａ及び貫通孔５２１ｂ（図３参照）と、固定カバー部５４２の貫通孔（不図示）とが重なって配置される。これにより、爪部５４３ｃ及び抜け防止部５４３ｂは、棒状部５２から固定部品５４の外側に押される力を受けなくなるため、図１０（ｂ）及び図１０（ｃ）に示すように、所定の付勢力によって固定カバー部５４２の外側面に密着した状態に戻る。このとき、ストッパー部５４３の抜け防止部５４３ｂは、固定カバー部５４２の貫通孔及び左カバー部５２１の貫通孔５２１ａを介して棒状部５２の内部空間に挿入される。同様に、爪部５４３ｃは、固定カバー部５４２の貫通孔及び左カバー部５２１の貫通孔５２１ｂを介して棒状部５２の内部空間に挿入される。その結果、固定部品５４から着脱部品５０を引き抜くことができなくなり、第二装飾部材５は第一装飾部材４に固定される。こうして、第一装飾部材４への第二装飾部材５の取り付け作業が完了する。
【００７１】
次に、第一装飾部材４からの第二装飾部材５の取り外し方法について説明する。
図１０（ｃ）に示すように、ストッパー部５４３は、本体部品４１の正面部４１２に形成された開口部４１２ａを介して第一装飾部材４の外部から視認されるようになっている。ストッパー部５４３は、爪部５４３ｃ及び抜け防止部５４３ｂとは反対側に突出する鉤爪部５４３ｅを有している。
【００７２】
第二装飾部材５を第一装飾部材４から取り外す場合には、本体部品４１の開口部４１２ａからベース部４３１の空間形成部４３１ａの内部に指先を挿入し、ストッパー部５４３の鉤爪部５４３ｅに指先を引っ掛けて固定カバー部５４２から離れる方向にストッパー部５４３を回転する。これにより、爪部５４３ｃ及び抜け防止部５４３ｂが固定部品５４の外側に移動する。次に、ストッパー部５４３を回転させた状態を維持したままで、着脱部品５０を第一装飾部材４から引き抜き、その後にベース部４３１の空間形成部４３１ａの内部から指先を引き抜く。これにより、ストッパー部５４３は、付勢力によって図７（ｂ）及び図７（ｃ）に示す状態に戻る。これにより、第二装飾部材５を第一装飾部材４から取り外す作業が完了する。
【００７３】
このように、第二装飾部材５は、ドライバーなどの工具を用いずに、第一装飾部材４の開口部４３２ａに棒状部５２を差し込むだけで第一装飾部材４に取り付けることができる。また、第二装飾部材５は、ドライバーなどの工具を用いずに、作業者の手だけで第一装飾部材４から取り外すことができる。また、第二装飾部材５は、第一装飾部材４に自己の構成要素のみで着脱することができる。つまり、第二装飾部材５は、ネジやナット、接着剤あるいは第二装飾部材５とは別体の磁石などの自己の構成要素以外の部材や部品を用いずに、第一装飾部材４に対して着脱することができる。このように、第二装飾部材５は、第一装飾部材４に着脱するために、自己の構成要素以外の部材や部品を必要としない自己完結型の部材である。
【００７４】
第二装飾部材５を第一装飾部材４から取り外すために利用する開口部４１２ａは、第一装飾部材４を取り付けた一体扉ユニット１０６が閉じられた状態になると外部に露出しなくなる。これにより、遊技者が遊技中に第二装飾部材５を第一装飾部材４から取り外してしまうことを防止できる。このように、第二装飾部材５は、一体扉ユニット１０６が閉じられた状態にあると、第一装飾部材４への取り付けは可能であるものの、第一装飾部材４からの取り外しは不可能になる。
【００７５】
以上説明したように、本実施形態による遊技機１００は、開閉自在に設けられた一体扉ユニット１０６と、自己の構成要素（例えば上部固定部品４４及び側部固定部品４５）で一体扉ユニット１０６に着脱可能な第一装飾部材４と、自己の構成要素（例えば着脱部品５０及び固定部品５４）で第一装飾部材４に着脱可能な第二装飾部材５とを備えている。
【００７６】
当該構成備えた遊技機１００によれば、一体扉ユニット１０６のデザインを変更するよりも非常に安価に外観を変更でき、他の機種との差別化や第一装飾部材４を変更する前の機種との差別化を図ることができる。また、遊技機１００の全体を交換しなくても、遊技盤の交換時に第一装飾部材４及び第二装飾部材５を取り付けるだけで、外観を変更することができる。これにより、遊技機１００は低コスト化を図ることができる。
【００７７】
また、第二装飾部材５を第一装飾部材４に取り付ける部分を共通化することにより、第一装飾部材４を交換せずに第二装飾部材５を交換することによって外観を変更できる。これにより、遊技機１００は、さらに低コスト化を図ることができる。
【００７８】
また、第二装飾部材５は、第一装飾部材４に後付けすることができるため、遊技機１００の製造工場から遊技店に輸送される際に、第一装飾部材４及び第二装飾部材５の梱包をコンパクト化することができる。これにより、遊技機１００は低コスト化を図ることができる。
【００７９】
第二装飾部材５は、遊技者側に突出する円筒状部５１２を棒状部５２に対して可動できるため、遊技者が第二装飾部材５に接触しても破損を防止できる。
【００８０】
第一装飾部材４及び第二装飾部材５のそれぞれの着脱は、工具を用いずに遊技店員が手作業で行うことができるため、作業負担の軽減を図ることができる。
【００８１】
本発明は、上記実施形態に限らず、種々の変形が可能である。
上記実施形態では、第二装飾部材５は、幟を模した構成を有しているが、幟以外の物品を模した構成を有していてもよい。この場合、固定部品５４との接続部の形状（本実施形態における棒状部５２の形状に相当）を共通化することにより、第一装飾部材４を変更しなくても第二装飾部材５の構成や形状を変更できる。
【００８２】
第一装飾部材４及び第二装飾部材５は、互いの接続部分に電気的接続を取るためのコネクタを有していてもよい。この場合、第一装飾部材４及び第二装飾部材５が発光装置などを備え、遊技機１００に設けられた演出制御部によって制御されることにより、遊技中の演出に合わせて発光して当該演出を盛り上げて遊技者の遊技に対する興趣の向上を図ることができる。
【００８３】
上記実施形態では、第一装飾部材４は、一体扉ユニット１０６に取り付けられるようになっているが、内枠アセンブリ１０４に取り付けられるようになっていてもよい。
【００８４】
上記実施形態では、第一装飾部材４は、一体扉ユニット１０６の右上隅に取り付けられるようになっているが、右上隅以外に取り付けられるようになっていてもよい。
【００８５】
上記実施形態では、側部固定部品４５は、貫通孔４５１ａを利用して、側部スライド部４５２をスライドさせるようになっているが、上部固定部品４４と同様に、フック部及び切欠き部の構成を有していてもよい。この場合、第一装飾部材４は、所定部材を一切用いずに、作業者の手のみで着脱が可能になる。
【００８６】
第一装飾部材４は、上部固定部品４４及び側部固定部品４５のいずれか一方を有するように構成されていてもよい。
【００８７】
上記実施形態では、第二装飾部材５は、自己の構成要素として着脱部品５０及び固定部品５４を有しているが、本発明はこれに限られない。第二装飾部材５は、自己の構成要素として着脱部品５０を有しており、固定部品５４は、第一装飾部材４の構成要素であってもよい。さらに、この場合、固定部品５４は、第一装飾部材４でなく内枠アセンブリ１０４及び一体扉ユニット１０６のいずれかの構成要素であってもよい。
【００８８】
また、上記実施形態における遊技状態の設定は一例に過ぎず、上記と同様の遊技性を担保可能な範囲において、適宜設定可能である。
【００８９】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【符号の説明】
【００９０】
４  第一装飾部材
５  第二装飾部材
４１  本体部品
４２  下部部品
４３  正面部品
４４  上部固定部品
４５  側部固定部品
４６  装飾部品
５０  着脱部品
５１  装飾部
５２  棒状部
５３  連結部品
５４  固定部品
１００  遊技機
１０２  外枠ユニット
１０４  内枠アセンブリ
１０６  一体扉ユニット
１０７  受皿ユニット
１０７ａ  シリンダ錠
１０７ｂ  上皿
１０７ｃ  下皿
１０７ｄ  上皿球抜きボタン
１０７ｅ  下皿球抜きボタン
１０８  貸出操作部
１０８ａ  球貸ボタン
１０８ｂ  返却ボタン
１１０  窓
１１０ａ  ガラスユニット
１１２  ハンドルユニット
２０１  機能ボタン
２０６  音声出力装置
２０８  演出操作装置
２０８ａ  押下ボタン
２０８ｂ  演出レバー
２０８ｃ  回転部
４１１  湾曲部
４１２  正面部
４１２ａ，４２２ａ，４３２ａ，４４２ａ，４５２ａ  開口部
４１３  上部切欠き部
４１４  側部切欠き部
４２１  外側部
４２１ａ  円筒部
４２２  内側部
４３１  ベース部
４３１ａ  空間形成部
４３２  カバー部
４３２ｂ  平坦部
４４１  上部ベース部
４４１ａ  配置部
４４２  上部スライド部
４４２ｂ  長孔部
４４２ｃ，４５２ｂ  折返部
４４３  上部支持部
４４３ａ  フック部
４４３ｂ  切欠き部
４５１  側部ベース部
４５１ａ  貫通孔
４５２  側部スライド部
４５３  側部支持部
４５３ａ  突出部
５１１  平板部
５１２  円筒状部
５２１  左カバー部
５２１ａ，５２１ｂ  貫通孔
５２２  右カバー部
５２３  板金部
５３１  上カバー部
５３２  下カバー部
５３３  止め部品
５３４  山ワッシャ
５３５  皿ワッシャ
５３６  バネ
５４１  固定ベース部
５４１ａ，５４２ａ  凹部
５４２  固定カバー部
５４２ｂ  固定保持部
５４３  ストッパー部
５４３ａ  軸部
５４３ｂ  抜け防止部
５４３ｃ  爪部
５４３ｄ  主部
５４３ｅ  鉤爪部
【図１】
2019150386.tif 000003
【図２】
2019150386.tif 000004
【図３】
2019150386.tif 000005
【図４】
2019150386.tif 000006
【図５】
2019150386.tif 000007
【図６】
2019150386.tif 000008
【図７】
2019150386.tif 000009
【図８】
2019150386.tif 000010
【図９】
2019150386.tif 000011
【図１０】
2019150386.tif 000012